(57)【特許請求の範囲】
【請求項１】
多数の貫通孔が所定ピッチで穿設され、長手方向両端部に各々一対のフック係止用ブラケットが設けられた矩形状の足場天板と、足場天板の長手方向両端部に折り畳み可能に枢着された脚とを備えた脚立どうしを、互いに直角に配置して連結するための脚立連結装置であって、横長形状の本体フレームの長手方向両端部に、本体フレームの幅方向一側方へ突出し且つ同芯状にピン孔が形成された上板部および下板部と、上，下板部間に挟んだ前記ブラケットを通して上，下板部のピン孔にわたって挿抜可能な連結ピンとからなり、一方の脚立における足場天板の長手方向端部に連結可能に構成された第１継手部と、前記上板部と反対側へ突出した突片と、その先端部に固定状態に垂設され、前記貫通孔に上方から落とし込むことが可能な連結ピンとからなり、他方の脚立における足場天板の側部に連結可能に構成された第２継手部とを設けてなる脚立連結装置。
【請求項２】
本体フレームの第１継手部側の側面に、両側のフック係止用ブラケットの相対向する側面に当接する振れ止め用突起部を設けてある請求項１に記載の脚立連結装置。
【請求項３】
多数の貫通孔が所定ピッチで穿設された矩形状の足場天板と、その長手方向両端部に折り畳み可能に枢着された脚とを備えた脚立どうしを、互いに直角に配置して連結するための脚立連結装置であって、横長形状の本体フレームの長手方向両端部に、本体フレームの幅方向一側方へ突出し且つ同芯状にピン孔が形成された上板部および下板部と、上，下板部間に挟んだ足場天板の貫通孔を通して上，下板部のピン孔にわたって挿抜可能な連結ピンとからなり、一方の脚立における足場天板の長手方向端部に連結可能に構成された第１継手部と、前記上板部と反対側へ突出した突片と、その先端部に固定状態に垂設され、前記貫通孔に上方から落とし込むことが可能な連結ピンとからなり、他方の脚立における足場天板の側部に連結可能に構成された第２継手部とを設けてなる脚立連結装置。
【発明の詳細な説明】
【０００１】
【発明の属する技術分野】
本発明は、脚立連結装置に関する。
【０００２】
【従来の技術】
滑り止めと軽量化を意図して多数の貫通孔が所定ピッチで穿設された矩形状の足場天板と、足場天板の長手方向両端部に折り畳み可能に枢着された梯子状の脚とを備えた脚立は、屋内外の簡易な作業足場として使用されている。作業足場として使用するにあたっては、例えば、脚立１台を単独で使用する他、２台以上を所定間隔で直列的又は並列的に配置し、両側の脚立の足場天板間に別の足場板を架設して使用することがある。
【０００３】
しかしながら、何れの使用形態においても、１台の脚立に付き２本の脚が必要であるから、何れかの脚が邪魔になって、必要な場所に脚立を設置できないことがあった。例えば、既存の建物のリニューアル工事における天井内外面の建築・設備工事（空調機の室内ユニットの吊り込み、照明器具の取付け、天井内配管・配線、天井工事等）では、非営業日の限られた時間の中で必要な作業を行わねばならないため、脚立を使用して、簡易な作業足場を組むことが望ましいが、室内に置かれた机、キャビネット、パソコン、その他の什器が障害物になって、脚立を必要な場所に設置できず、簡易な作業足場を組み立てることができないことがあった。
【０００４】
【発明が解決しようとする課題】
上記の現状に鑑み、本発明は、脚立どうしを、例えばＴ型やＬ型など、互いに直角に配置して連結すると共に、連結部下の脚を折り畳んで、脚立２台で、３本足の状態とすることにより、室内に置かれた机、キャビネット、パソコン、その他の什器等の障害物を跨いで、必要な場所に簡易な作業足場を組み立てることができるようにした脚立連結装置を提供するものである。
【０００５】
【課題を解決するための手段】
上記の課題を解決するために、本発明が講じた技術的手段は、次のとおりである。即ち、請求項１に記載の発明による脚立連結装置は、多数の貫通孔が所定ピッチで穿設され、長手方向両端部に各々一対のフック係止用ブラケットが設けられた矩形状の足場天板と、足場天板の長手方向両端部に折り畳み可能に枢着された脚とを備えた脚立どうしを、互いに直角に配置して連結するための脚立連結装置であって、横長形状の本体フレームの長手方向両端部に、本体フレームの幅方向一側方へ突出し且つ同芯状にピン孔が形成された上板部および下板部と、上，下板部間に挟んだ前記ブラケットを通して上，下板部のピン孔にわたって挿抜可能な連結ピンとからなり、一方の脚立における足場天板の長手方向端部に連結可能に構成された第１継手部と、前記上板部と反対側へ突出した突片と、その先端部に固定状態に垂設され、前記貫通孔に上方から落とし込むことが可能な連結ピンとからなり、他方の脚立における足場天板の側部に連結可能に構成された第２継手部とを設けて構成したものである。
【０００６】
上記の脚立連結装置を使用すれば、２台の脚立をＴ型やＬ型など、互いに直角に配置し、一方の脚立における足場天板の長手方向端部に設けられたフック係止用ブラケットを第１継手部の上，下板部間に挟み込み、当該ブラケットを通して上，下板部のピン孔に連結ピンを挿入することにより、第１継手部を一方の脚立における足場天板の長手方向端部に連結し、他方の脚立における足場天板の側部には、突片の先端部に垂設された連結ピンを当該足場天板の貫通孔に上方から落とし込むことによって、第２継手部を連結し、第１継手部による連結部の下方に位置する脚を折り畳んで、脚立２台で３本足のＴ型又はＬ型の作業足場を組み立てることができる。
【０００７】
従って、室内に置かれた机、キャビネット、パソコン、その他の什器等の障害物を跨いで、必要な場所に簡易な作業足場を組み立てることができる。しかも、第２継手部は、足場天板に所定ピッチで穿設された貫通孔を利用して、足場天板の側部に連結するため、足場天板の側部のどの位置にでも連結でき、Ｔ型やＬ型など、什器のレイアウトに対応した作業足場を組み立てることができる。
【０００８】
尚、前記ブラケットが、連結ピンの直径よりも大きな内法の内部空間を有する形状に形成されている場合には、連結ピン周りでのガタツキが生じないようにするために、請求項２に記載のように、本体フレームの第１継手部側の側面に、両側のフック係止用ブラケットの相対向する側面に当接する振れ止め用突起部を設けて、実施することが望ましい。
【０００９】
足場天板の長手方向両端部にフック係止用ブラケットが設けられていない脚立を連結対象とする場合には、請求項３に記載の発明のように、横長形状の本体フレームの長手方向両端部に、本体フレームの幅方向一側方へ突出し且つ同芯状にピン孔が形成された上板部および下板部と、上，下板部間に挟んだ足場天板の貫通孔を通して上，下板部のピン孔にわたって挿抜可能な連結ピンとからなり、一方の脚立における足場天板の長手方向端部に連結可能に構成された第１継手部と、前記上板部と反対側へ突出した突片と、その先端部に固定状態に垂設され、前記貫通孔に上方から落とし込むことが可能な連結ピンとからなり、他方の脚立における足場天板の側部に連結可能に構成された第２継手部とを設けて、脚立連結装置を構成することになる。
【００１０】
この脚立連結装置を使用すれば、２台の脚立をＴ型やＬ型など、互いに直角に配置し、一方の脚立における足場天板の長手方向端部を第１継手部の上，下板部間に挟み込み、当該足場天板の貫通孔を通して上，下板部のピン孔に連結ピンを挿入することにより、第１継手部を一方の脚立における足場天板の長手方向端部に連結し、他方の脚立における足場天板の側部には、突片の先端部に垂設された連結ピンを当該足場天板の貫通孔に上方から落とし込むことによって、第２継手部を連結し、第１継手部による連結部の下方に位置する脚を折り畳んで、脚立２台で３本足のＴ型又はＬ型の作業足場を組み立てることができ、請求項１に記載の発明による脚立連結装置と同様の利点がある。
【００１１】
【発明の実施の形態】
以下、本発明の実施の形態を図面に基づいて説明する。図１〜図５は、本発明に係る脚立連結装置Ａの一例を示す。この脚立連結装置Ａは、滑り止めと軽量化を意図して多数の貫通孔ａが所定ピッチ（例えば、１００ｍｍピッチ）で穿設され、長手方向両端部に各々一対のフック係止用ブラケットｂが設けられた矩形状の足場天板１と、足場天板１の長手方向両端部に折り畳み可能に枢着された梯子状の脚２ａ，２ｂとを備えた既製の２台の脚立３，３どうしを、互いに直角に配置して連結するためのものであって、足場天板１の短辺より短い横長形状の本体フレーム（例えば、角パイプで構成される。）４の長手方向両端部に、一方の脚立３における足場天板１の長手方向端部に連結可能に構成された一対の第１継手部５Ａと、他方の脚立３における足場天板１の側部に連結可能に構成された一対の第２継手部５Ｂとを設けてなる。１ａは、足場天板１の四辺から下方へ直角に連設された端面板、１ｂはその下端から内側へ直角に折り曲げられた補強用の折曲板である。
【００１２】
各々の第１継手部５Ａは、本体フレーム４の幅方向一側方へ突出し且つ同芯状にピン孔６ａ，６ｂが形成された上板部７ａおよび下板部７ｂと、上，下板部７ａ，７ｂ間に挟んだ前記ブラケットｂを通して上，下板部７ａ，７ｂのピン孔６ａ，６ｂにわたって挿抜可能な連結ピン８とから構成されている。４ａは、前記本体フレーム４の上下両面に穿設された軽量化用の切欠きである。
【００１３】
図示の連結ピン８は、円形頭部８ａの上面に六角穴８ｂを形成した軸体８ｃの先端側にネジ部８ｄを形成したものである。上板部７ａの突出先端側に形成したピン孔６ａは、円形頭部８ａが嵌まり込む大径孔部と軸体８ｃの直径に対応する内径の小径孔部とを有する。下板部７ｂに形成したピン孔６ｂは、前記ネジ部８ｄと螺合する雌ネジに形成されている。
【００１４】
前記ブラケットｂは、金属板を曲げ加工したもので、前面板９ａと、その両端から同方向へ直角に折り曲げられた側面板９ｂ，９ｂと、その先端から直角に折り返された取付け用板部９ｃ，９ｃとからなり、取付け用板部９ｃ，９ｃを足場天板１の端面板１ａにネジ止めしてある。ブラケットｂの前面板９ａの中央部上縁には、別の足場板１０の長手方向端部に突設されたフック１０ａを挿入係止させるための凹部ｃが形成されている。
【００１５】
本体フレーム４の第１継手部５Ａ側の側面には、両側のフック係止用ブラケットｂの相対向する側面（側面板９ｂ）に当接する振れ止め用突起部１１が設けられている。図示の振れ止め用突起部１１は、１本物の角形鋼材を本体フレーム４の第１継手部５Ａ側の側面に溶接等の手段により固定し、両端が両側のフック係止用ブラケットｂの相対向する側面（側面板９ｂ）に当接することによって、連結ピン８とブラケットｂの内部空間との隙間に起因する第１継手部５Ａの本体フレーム４長手方向でのガタツキを阻止するように構成されているが、互いに独立した二つの小さな部材を本体フレーム４の第１継手部５Ａ側の側面に溶接等の手段により固定して、前記振れ止め用突起部１１を構成してもよい。
【００１６】
各々の第２継手部５Ｂは、前記上板部７ａと反対側へ突出した突片１２と、その先端部に溶接等の手段により固定されて垂設され、前記貫通孔ａに上方から落とし込むことが可能な連結ピン１３とから構成されている。
【００１７】
尚、連結ピン１３のピッチは、貫通孔ａのピッチの整数倍に設定されている。また、図示の実施形態では、上板部７ａと突片１２とが、１枚物の金属板を、その両端側が本体フレーム４の幅方向へ突出した状態に溶接することによって構成されているが、別々の金属板を溶接して構成してもよい。
【００１８】
上記の構成によれば、図１に示すように、２台の脚立３，３を、例えばＴ型やＬ型など、互いに直角に配置し、一対の第１継手部５Ａの上，下板部７ａ，７ｂ間に、一方の脚立３における足場天板１の長手方向端部のブラケットｂを夫々挟み込み、当該ブラケットｂを通して、上，下板部７ａ，７ｂのピン孔６ａ，６ｂにわたって連結ピン８を挿入することにより、第１継手部５Ａの各々を当該足場天板１の長手方向端部に連結する一方、一対の第２継手部５Ｂにおける２本の連結ピン１３を、他方の脚立３における足場天板１の側部に形成されている任意の２個の貫通孔ａに各々上方から落とし込むことにより、第２継手部５Ｂを当該足場天板１の側部に連結し、且つ、第１継手部５Ａによる連結部の下方に位置する脚２ａを、図１に仮想線から実線で示すように、不使用姿勢に折り畳むことにより、脚立２台で３本足のＴ型（又はＬ型）をなす簡易な作業足場を組み立てることができる。
【００１９】
従って、室内に置かれた机、キャビネット、パソコン、その他の什器等の障害物を跨いで、必要な場所に簡易な作業足場を組み立てることができる。しかも、第２継手部５Ｂは、足場天板１に所定ピッチで穿設された貫通孔ａを利用して、足場天板１の側部に連結するため、足場天板１の側部のどの位置にでも連結でき、Ｔ型やＬ型など、什器のレイアウトに対応した作業足場を組み立てることができる。
【００２０】
図６は、本発明に係る脚立連結装置Ａの他の例を示す。この脚立連結装置Ａは、足場天板１の長手方向両端部に前記フック係止用ブラケットｂが設けられていない脚立３，３を連結の対象とするものであり、次のように構成されている。即ち、横長形状の本体フレーム４の長手方向両端部に、本体フレーム４の幅方向一側方へ突出し且つ同芯状にピン孔６ａ，６ｂが形成された上板部７ａおよび下板部７ｂと、上，下板部７ａ，７ｂ間に挟んだ足場天板１の貫通孔ａを通して上，下板部７ａ，７ｂのピン孔６ａ，６ｂにわたって挿抜可能な連結ピン８とからなり、一方の脚立３における足場天板１の長手方向端部に連結可能に構成された第１継手部５Ａと、前記上板部７ａと反対側へ突出した突片１２と、その先端部に固定状態に垂設され、前記貫通孔ａに上方から落とし込むことが可能な連結ピン１３とからなり、他方の脚立３における足場天板１の側部に連結可能に構成された第２継手部５Ｂとを設けて、脚立連結装置を構成した点に特徴がある。尚、連結ピン８および１３のピッチは、貫通孔ａのピッチの整数倍に設定されている。
【００２１】
この実施形態によれば、第１継手部５１Ａも、足場天板１の貫通孔１ａを利用して連結する構造であるため、前記振れ止め用突起部１１は不要であり、省略されている。その他の構成および作用は、先の実施形態と同じであるため、説明を省略する。
【００２２】
【発明の効果】
以上説明したように、本発明による脚立連結装置を使用すれば、脚立どうしを、例えばＴ型やＬ型など、互いに直角に配置して連結すると共に、連結部の脚を折り畳んで、脚立２台で、３本足の状態とすることにより、室内に置かれた机、キャビネット、パソコン、その他の什器等の障害物を跨いで、必要な場所に簡易な作業足場を組み立てることができる。
【図面の簡単な説明】
【図１】本発明に係る脚立連結装置の説明図である。
【図２】脚立連結装置の斜視図である。
【図３】脚立連結装置の使用状態における縦断側面図である。
【図４】脚立連結装置の平面図である。
【図５】脚立連結装置の正面図である。
【図６】本発明に係る他の脚立連結装置の使用状態における縦断側面図である。
【符号の説明】
ａ…貫通孔、ｂ…フック係止用ブラケット、１…足場天板、２ａ，２ｂ…脚、３…脚立、４…本体フレーム、５Ａ…第１継手部、５Ｂ…第２継手部、６ａ，６ｂ…ピン孔、７ａ…上板部、７ｂ…下板部、８…連結ピン、１３…連結ピン。
【図１】
0003790391.tif 000002
【図２】
0003790391.tif 000003
【図３】
0003790391.tif 000004
【図４】
0003790391.tif 000005
【図５】
0003790391.tif 000006
【図６】
0003790391.tif 000007